【事件の表示】
　平成１１年特許願第２５０６１２号「光ディスク収納用シート及び該シートを用いた光ディスク収納用ファイル帳」拒絶査定不服審判事件〔平成１３年　３月２１日出願公開、特開２００１−　７２１６６、請求項の数（６）〕について、次のとおり審決する。
【結　論】
　原査定を取り消す。
　本願の発明は、特許すべきものとする。
【理　由】
１.手続の経緯・本願発明
　本願は、平成１１年９月３日の出願であって、本願発明の要旨は、平成１７年８月３１日付け手続補正書により補正された明細書および図面の記載からみて、特許請求の範囲の請求項１、請求項２、請求項３、請求項４、請求項５および請求項６に記載された次のとおりのものと認める。（以下、本願第１発明、本願第２発明、本願第３発明、本願第４発明、本願第５発明および本願第６発明という。）
「【請求項１】
　光ディスク用収納部を有する長方形の収納用シートにおいて、該収納部の構造が、収納する光ディスクより大きい面積の熱可塑性樹脂製芯材シートに、収納する光ディスクのほぼ全面を覆う熱可塑性樹脂製カバーシートを積層してなり、開口部方向を開放して、収納時の光ディスクの上縁の位置の芯材シートに、開口部の幅一杯に沿って直線状段差を設け、収納部の底縁及び両側縁の少なくとも一部を融着により閉鎖して形成した積層体の該芯材シートと該カバーシートの間の側縁及び底縁の閉鎖部に光ディスクの周縁が係止されて固定される構造であって、該カバーシートは、収納光ディスクの中央孔に相当する位置に、指孔が設けられていて、該指孔の周縁から開口部に至る通路が設けられていることを特徴とする光ディスク収納用シート。
【請求項２】
　光ディスク用収納部を有する長方形の収納用シートにおいて、該収納部の構造が、収納する光ディスクより大きい面積の熱可塑性樹脂製芯材シートに、収納する光ディスクの少なくとも下半分を覆う熱可塑性樹脂製カバーシートを積層してなり、開口部方向を開放して、収納時の光ディスクの上縁の位置の芯材シートに、開口部の幅一杯に沿って直線状段差を設け、収納部の底縁及び両側縁の少なくとも一部を熱融着により閉鎖して形成した積層体の該芯材シートと該カバーシートの間の側縁及び底縁の閉鎖部に光ディスクの周縁が係止されて固定される構造であって、該カバーシートは、収納光ディスクの中央孔に相当する位置から３０〜１００度の角度で開口部に向かって扇状に広がる開口縁を有するものであることを特徴とする光ディスク収納用シート。
【請求項３】
　光ディスク用収納部及び綴じ代部を有する長方形の収納用シートにおいて、該収納部が熱可塑性樹脂製芯材シートに熱可塑性樹脂製カバーシートを積層して形成した積層体の一辺を開口縁として残して積層体の他の周縁を閉鎖固定して、該芯材シートと該カバーシートの間に形成されてなるものであって、収納時の光ディスクの上縁の位置の芯材シートに、開口部の幅一杯に沿って直線状段差を設け、該カバーシートは、収納光ディスクの中央孔に相当する位置に、指孔が設けられていて、該指孔の周縁から開口部に至る通路が設けられている光ディスク収納用シートを積層束にしてまとめて、綴じ代部分を一体的に融着により固定して得た収納用シートの固定積層束を有することを特徴とする光ディスク収納用ファイル帳。
【請求項４】
　収納用シートが、芯材シートの左右のシート面に分割する中央線上に綴じ代部を有し、分割された左右のシート面のそれぞれ表裏両面に、それぞれカバーシートを積層して、芯材シートの左右表裏両面に合計４カ所の収納部を有するものである請求項３記載の光ディスク収納用ファイル帳。
【請求項５】
　光ディスク用収納部及び綴じ代部を有する長方形の収納用シートにおいて、該収納部が熱可塑性樹脂製芯材シートに熱可塑性樹脂製カバーシートを積層して形成した積層体の一辺を開口縁として残して積層体の他の周縁を閉鎖固定して、該芯材シートと該カバーシートの間に形成されてなるものであって、収納時の光ディスクの上縁の位置の芯材シートに、開口部の幅一杯に沿って直線状段差を設け、該カバーシートは、収納光ディスクの中央孔に相当する位置から３０〜１００の角度で開口部に向かって扇状に広がる開口縁を有する光ディスク収納用シートを積層束にしてまとめて、綴じ代部分を一体的に融着により固定して得た収納用シートの固定積層束を有することを特徴とする光ディスク収納用ファイル帳。
【請求項６】
　収納用シートが、芯材シートの左右のシート面に分割する中央線上に綴じ代部を有し、左右のシート面のそれぞれ表裏両面に、それぞれカバーシートを積層して、芯材シートの左右表裏両面に合計４カ所の収納部を有するものであることを特徴とする請求項５記載の光ディスク収納用ファイル帳。」
　
２.引用例
(1)これに対して、原査定の拒絶の理由に引用された、本願出願前に頒布された実願平１−６３９０６号（実開平３−４５９２号）のマイクロフィルム参照（以下、引用例１という。）には、
(a)「本考案のコンパクトディスクケースに使用されるプラスチックシートは・・・熱可塑性樹脂が用いられる」（マイクロフィルム第３頁第７から１１行）
(b)「第１図（ａ）は、コンパクトディスク２を収納したコンパクトディスクケース１の正面図であり、該ケース１の内側面には、ディスク２の上辺縁の上側にディスク落下防止用の凸部３、３’が形成されている。
　このケースは、第１図（ｂ）の展開図に示されている形状に裁断された樹脂シートを、折り線４に沿って二つ折りにしてＢ片をＡ片上に重ね合わせた後、Ａ片（またはＢ片）に連なる両側のＣ片を内側に折り込んでＢ片（またはＡ片）と接合加工することにより封筒状に形成される。
　本考案の収納ディスク落下防止用の凸部は、ケースの内側面に形成され、しかもその形成箇所は、収納されたディスクの上辺縁の上側に少なくとも一個設けられる。一個の場合には、通常、中央部に設けられ、二個以上の場合には左右対称に形成される。
　この凸部は、上記ケースのＡ片又はＢ片に設けることができるが、該凸部を複数個設ける場合には、Ａ片とＢ片の両方に設けてもよい。」（同第３頁下から第３行から同第４頁下から第４行）
(c)「この凸部の形状は、ディスクが収納部より容易に飛び出すことのない形状であれば何ら制限されないが、例えば第２図の平面図では（ａ）〜（ｅ）に示されるように、また、断面形状は第２図（ｆ）〜（ｉ）に示されるものが実用的である。」（同第５頁第３から７行）
(d)「ディスク２の記録面」（同第７頁第８行）との記載があり、
　上記(a)、(b)、(c)、(d)と第１図、２図より、引用例１には、
「記録面を有するディスク用収納部を有する長方形のコンパクトディスクケースにおいて、収納時のディスクの上縁の位置の熱可塑性樹脂製シートＡ片に、開口部に沿って短い直線状凸部（第２図（ｂ））を設ける」点が開示されている。
(2)同実用新案登録第３０３１０９９号公報（以下、引用例２という。）には、
(e)「【０００９】
【考案の実施の形態】
【実施例】
　・・・
　なお、この実施例の記録ディスクホルダ１０は、ポケットＰの大きさ等を調整することにより、ＣＤ以外の記録ディスク、たとえば、ＤＶＤ，ＣＤ−ＲＯＭ，ＬＤなどの記録ディスクを収納、保管するために適用することが可能である。
【００１０】
　・・・
　ホルダユニット１２は、可撓性を有する半透明の合成樹脂材料からなる背面シート１４を含む。背面シート１４は、ポケットＰの２つ分以上の長さを有して横長の矩形状に形成される。背面シート１４は、２つのポケットＰの背面となるものである。
【００１１】
　背面シート１４の正面側には、可撓性を有する半透明の合成樹脂材料からなる正面シート１６が配置される。正面シート１６は、背面シート１４とほぼ同一の大きさに形成される。正面シート１６は、ＣＤを収納するためのポケットＰにＣＤを出し入れするための収納口Ｐｈとなる一辺を有する。
　・・・
　そして、この実施例では、それぞれのポケットＰを形成するために、正面シート１６の略Ｖ字形状の縁部１６ａ以外の３方が、それぞれ直線状の溶着部１８において背面シート１４と接着される。この接着は、たとえば高周波溶着により行われる。そして、３方の溶着部１８が、ポケットＰの側部および底部となる。このとき、ポケットＰ内部の幅長および縦長は、ＣＤの直径よりも若干大きくなるように形成される。また、背面シート１４と正面シート１６との間の間隔は、後述する不織布シート２０を収納した後に、収納すべきＣＤの厚みよりも若干厚くなるように形成される。このため、ＣＤをポケットＰ内に入れた際には、ＣＤは、その両面から背面シート１４と正面シート１６とで挟持されるようにして、収納され保持される。」（ＣＤ−ＲＯＭ第８頁第６行から同第９頁第１８行）との記載があり、
　上記(e)と【図１】、【図２】より、引用例２には、
「背面シート（芯材シート）と開口部を有すると共に記録デイスク（光ディスク）を収納するポケット（収納部）」が開示されている。
　しかしながら、引用例２には、収納時の記録ディスクの上縁の位置の背面シートに、ポケットの開口部に沿って段差を設けることの開示はない。
(3)同実願昭５７−９３３５２号（実開昭５９−１１６８号）のマイクロフィルム参照（以下、引用例３という。）には、
(h)「基材シート１は、フロッピーデイスクを収納するのに充分な大きさの幅で、切欠き線またはミシン目を伴った罫線３で横に多数個に仕切られる。
　さらに、この基材シート１の片面若しくは両面に薄葉シート４を重ね合わせ、その下縁、側縁及び罫線部近傍に於いて接着しフロッピーデイスクを収納する袋状部を形成する。」（マイクロフィルム第２頁下から第３行から同第３頁第４行）との記載があり、
　上記(h)と第１図、第２図より、引用例３には、
「基材シート（芯材シート）と開口部を有すると共にフロッピーデイスクを収納する袋状部（収納部）」が開示されている。
　しかしながら、引用例３にも、収納時のフロッピーデイスクの上縁の位置の背面シートに、袋状部の開口部に沿って段差を設けることの開示はない。
　
３.対比・判断
(1)本願第１発明について
　本願第１発明と引用例１記載の発明を対比すると、　
　後者の「記録面を有するディスク（記録用ディスク）」は、「記録用ディスク」として本願出願前よく知られている「光ディスク」である場合も含まれるから、前者の「光ディスク」に相当する。また、後者の「熱可塑性樹脂製シートＡ片」、「コンパクトディスクケース」、「直線状凸部」は、前者の「熱可塑性樹脂製芯材シート」、「収納用シート」、「直線状段差」にそれぞれ相当しているものと認める。
　そうすると、両者は「光ディスク用収納部を有する長方形の収納用シートにおいて、収納時の光ディスクの上縁の位置の熱可塑性樹脂製芯材シートに、収納部の開口部に沿って直線状段差を設ける」点で一致し、
　本願第１発明では、「段差」が「開口部の幅一杯の直線状」であるのに対して、引用例１記載の発明では、「段差」が「短い直線状」である点で相違している。
　上記相違点について検討する。  
　本願第１発明の段差を開口部の幅一杯の直線状とすることは、光ディスクを収納部の中に円滑に挿入することができるという格別の作用効果を奏するものである。
　この相違点については、引用例１と同一でもなく、また、引用例１に記載された技術事項に基づいて容易に想到できたものではない。
　また、引用例２には、収納時の記録ディスクの上縁の位置の背面シートに、ポケットの開口部に沿って段差を設けることの開示はなく、引用例３にも、収納時のフロッピーデイスクの上縁の位置の背面シートに、袋状部の開口部に沿って段差を設けることの開示はない。
　してみれば、本願第１発明は、引用例１乃至３と同一ではなく、また、引用例１乃至３記載の各発明に基づいて容易になし得たものともいえない。
　
(2)本願第２発明について
　本願第２発明と引用例１記載の発明を対比すると、上記「(1)本願第１発明について」における相違点と同じ相違点を含むものである。
　そして、同じ相違点を含む以上、本願第２発明は、本願第１発明と同様に、引用例１乃至３のいずれとも同一ではなく、また、引用例１乃至３記載の各発明に基づいて容易になし得たものともいえない。
　
(3)本願第３発明について
　本願第３発明と引用例１記載の発明を対比すると、上記「(1)本願第１発明について」における相違点と同じ相違点を含むものである。
　そして、同じ相違点を含む以上、本願第３発明は、本願第１発明と同様に、引用例１乃至３のいずれとも同一ではなく、また、引用例１乃至３記載の各発明に基づいて容易になし得たものともいえない。
　
(4)本願第４発明について
　本願請求項４は、本願請求項３の従属項であって、本願第４発明は、本願第３発明をさらに限定するものであるから、本願第４発明は、本願第３発明と同様に、引用例１乃至３のいずれとも同一ではなく、また、引用例１乃至３記載の各発明に基づいて容易になし得たものともいえない。
　
(5)本願第５発明について 
  本願第５発明と引用例１記載の発明を対比すると、上記「(1)本願第１発明について」における相違点と同じ相違点を含むものである。
　そして、同じ相違点を含む以上、本願第５発明は、本願第１発明と同様に、引用例１乃至３のいずれとも同一ではなく、また、引用例１乃至３記載の各発明に基づいて容易になし得たものともいえない。
　
(4)本願第６発明について
　本願請求項６は、本願請求項５の従属項であって、本願第６発明は、本願第５発明をさらに限定するものであるから、本願第６発明は、本願第５発明と同様に、引用例１乃至３のいずれとも同一ではなく、また、引用例１乃至３記載の各発明に基づいて容易になし得たものともいえない。
　
４.むすび
　したがって、本願請求項１乃至６に係る各発明は、引用例１乃至３記載の各発明と同一ではなく、かつ、引用例１乃至３記載の各発明に基づいて当業者が容易に発明をすることができたものであるとはいえないから、原査定の理由を検討してもその理由により本願を拒絶すべきものとすることはできない。
　また、他に本願を拒絶すべき理由を発見しない。
　よって、結論のとおり審決する。